(57)【特許請求の範囲】
【請求項１】
コンテンツを録画再生する機能を有し、ネットワーク接続されている処理装置であって、
ウィルスを検出する検出手段と、
録画再生処理の状態を取得する装置状態取得手段と、
録画再生処理の状態と、前記検出手段でウィルスが検出された場合に行う処理とを対応付けて記憶する対応処理記憶手段と、
前記検出手段でウィルスを検出した場合に、前記装置状態取得手段で取得した処理の状態に応じて、前記対応処理記憶手段に記憶されている処理を行う対処手段と
を備えることを特徴とする処理装置。
【請求項２】
前記処理装置は、更に、処理装置のユーザに関する情報であるユーザ情報を取得するユーザ情報取得手段を備え、
前記対応処理記憶手段は、更に、ユーザ情報と、前記検出手段でウィルスが検出された場合に行う処理とを対応付けて記憶し、
前記対処手段は、前記検出手段でウィルスを検出した場合に、前記ユーザ情報取得手段で取得したユーザ情報と、前記装置状態取得手段で取得した録画再生処理の状態とに応じて、前記対処記憶手段に記憶されている処理を行う
ことを特徴とする請求項１記載の処理装置。
【請求項３】
処理の状態とは、録画予約状態をいい、
前記対応処理記憶手段で、前記録画再生処理の状態と対応付けられて記憶されている処理とは、録画予約情報を自装置の外部に送信する処理である
ことを特徴とする請求項１記載の処理装置。
【請求項４】
前記処理装置は、更に、ユーザのユーザ識別情報と在宅予定期間とを記憶する在宅期間記憶手段を備え、
前記ユーザ情報取得手段は、前記在宅期間記憶手段に記憶されるユーザ識別情報と在宅予定期間とに基づいて、在宅しているユーザのユーザ識別情報を取得する
ことを特徴とする請求項２記載の処理装置。
【請求項５】
前記処理装置は、更に、自装置にログインし、自装置の資源にアクセス可能な状態となっている処理装置と、ログインしているユーザのユーザ識別情報とを検知する検知手段とを備え、
前記対処手段は、前記検出手段でウィルスを検出した場合に、前記検知手段で検知されたユーザ識別情報に応じて、前記対応処理記憶手段に記憶されている処理を行う
ことを特徴とする請求項２記載の処理装置。
【請求項６】
前記処理装置は、更に、ユーザが入力する情報を取得する取得手段を備え、
前記対処手段は、前記取得手段により取得される情報に応じて、前記対応処理記憶手段に記憶されている処理を決定し、実行していく
ことを特徴とする請求項２記載の処理装置。
【請求項７】
コンテンツを録画再生する機能を有し、ネットワーク接続されている処理装置の集積回路であって、
ウィルスが検出されたことを検知する検知手段と、
録画再生処理の状態を取得する装置状態取得手段と、
録画再生処理の状態と対応付けられた対応処理であって、前記検知手段でウィルスが検出されたことを検知した場合に行う対応処理を取得する対応処理取得手段と、
前記検知手段でウィルスが検出されたことを検知した場合に、前記装置状態取得手段で取得した処理の状態に応じて、前記対応処理取得手段で取得される対応処理を行う対処手段と
を備えることを特徴とする集積回路。
【発明の詳細な説明】
【技術分野】
【０００１】
本発明は、ネットワークにおける処理装置のウィルス対策技術に関し、特に、ウィルス感染を発見した場合の対応処理を行う際の利便性を向上させる技術に関する。
【背景技術】
【０００２】
近年、コンピュータウィルス（以下、「ウィルス」という。）は、インターネット等を感染手段として、その被害を拡大し、また、常に変化を遂げ、新種のウィルスが発生している。
そこで、コンピュータを利用する上での安全性、信頼性確保のために、ウィルスの侵入を防止したり、侵入しているウィルスを発見し、駆除するための様々なウィルス対策ソフト、いわゆるワクチン等が随時開発されている。
【０００３】
また、近年、一般家庭においては、一部の家電が情報処理機能を持つに至り、インターネットに接続されたり、家庭内の装置同士をネットワークで結び相互に利用する等の技術が開発されている。例えば、ネットワーク機能を有しているＤＶＤ（DigitalVersatile Disc）レコーダが、ネットワーク接続されている他の記録装置に録画を依頼するなどである。
【０００４】
このような状況下、パソコン等を使用していないからといって、ウィルスとは無縁であるというわけには行かない状況になりつつある。
すなわち、自分では、テレビを見る等、ただ単に家電を使っているつもりであっても、インターネットを介して、またＤＶＤなどの記録媒体を介して、ウィルスに感染する危険が常に存在する。
【特許文献１】特開２００３−１９９００４号公報
【発明の開示】
【発明が解決しようとする課題】
【０００５】
しかし、家庭内においては、ユーザである家人のすべてが、ウィルスに感染した場合の対応処置ができるわけではなく、また、対応できる家人が常に在宅であるとも限らない。
とはいえ、ウィルスに感染している家電等を、そのままにして置くことは、家電を使用する際に不都合が生じるようになったり、更に、他の機器にも被害を広げることになりかねず、妥当ではない。
【０００６】
そこで、本発明は、家庭内の情報装置がウィルスに感染していることがわかった場合に、速やかに被害の拡大を防ぐと伴に、できる限りの復旧措置を施せるような装置の提供を目的とする。
ここで、できる限りの復旧措置を施せるような装置とは、ウィルスに感染した後の復旧措置が行える装置であるだけでなく、その復旧措置を容易ならしめるための事前措置も行える装置であることを意味する。
【課題を解決するための手段】
【０００７】
上記課題を解決する為に、本発明の処理装置は、コンテンツを録画再生する機能を有し、ネットワーク接続されている処理装置であって、ウィルスを検出する検出手段と、録画再生処理の状態を取得する装置状態取得手段と、録画再生処理の状態と、前記検出手段でウィルスが検出された場合に行う処理とを対応付けて記憶する対応処理記憶手段と、前記検出手段でウィルスを検出した場合に、前記装置状態取得手段で取得した処理の状態に応じて、前記対応処理記憶手段に記憶されている処理を行う対処手段とを備えることを特徴とする。
【発明の効果】
【０００８】
本発明に係る処理装置は、上述の構成を備えることにより、ウィルスが発見された装置の状態に応じて、ウィルス駆除後の対応処理を決めるので、ウィルスに対してより適切な対応処理ができるようになる。これにより、ウィルスによる被害を最小限度にとどめることが出来る。
また、前記処理装置は、更に、処理装置のユーザに関する情報であるユーザ情報を取得するユーザ情報取得手段を備え、前記対応処理記憶手段は、更に、ユーザ情報と、前記検出手段でウィルスが検出された場合に行う処理とを対応付けて記憶し、前記対処手段は、前記検出手段でウィルスを検出した場合に、前記ユーザ情報取得手段で取得したユーザ情報と、前記装置状態取得手段で取得した録画再生処理の状態とに応じて、前記対処記憶手段に記憶されている処理を行うこととしてもよい。
【０００９】
これにより処理装置は、処理装置のユーザに関する情報を考慮して、ウィルス駆除後の対応処理を決めるので、ユーザごとにより適切な対応処理が出来るようになる。例えば、ユーザが幼児であれば、すぐに電源を落とすなどの対応処理をすることで、装置内部の情報が消去されたり、盗まれたりすることを未然に防ぐことが可能となる。
また、処理の状態とは、録画予約状態をいい、前記対応処理記憶手段で、前記録画再生処理の状態と対応付けられて記憶されている処理とは、録画予約情報を自装置の外部に送信する処理であることとしてもよい。
【００１０】
これにより処理装置は、自動的に予約録画を他の装置に依頼することができるので、ウィルスに感染した録画装置が使用できなくなったとしても、予約している録画が成されるようになる。また、ウィルスに感染していない他の録画装置で、録画予約の内容をチェックすることが出来るので、録画予約の内容を書き換えられ予約していない番組が録画されたり、ＨＤＤ（HardDisk Drive）が一杯になるような録画予約がなされたりすることを、未然に防ぐことが可能となる。
【００１１】
また、前記処理装置は、更に、ユーザのユーザ識別情報と在宅予定期間とを記憶する在宅期間記憶手段を備え、前記ユーザ情報取得手段は、前記在宅期間記憶手段に記憶されるユーザ識別情報と在宅予定期間とに基づいて、在宅しているユーザのユーザ識別情報を取得することとしてもよい。
これにより処理装置は、対応処理を行うことができるユーザが家にいるか否かを判断することができるので、在宅しているユーザにあわせて、対応処理の内容を変えて行うことができるようになる。
【００１２】
また、前記処理装置は、更に、自装置にログインし、自装置の資源にアクセス可能な状態となっている処理装置と、ログインしているユーザのユーザ識別情報とを検知する検知手段とを備え、前記対処手段は、前記検出手段でウィルスを検出した場合に、前記検知手段で検知されたユーザ識別情報に応じて、前記対応処理記憶手段に記憶されている処理を行うこととしてもよい。
【００１３】
これにより処理装置は、自装置にログインしているユーザを知ることができるので、ユーザにあわせて、対応処理の内容を変えて行うことができるようになる。
また、前記処理装置は、更に、ユーザが入力する情報を取得する取得手段を備え、前記対処手段は、前記取得手段により取得される情報に応じて、前記対応処理記憶手段に記憶されている処理を決定し、実行していくこととしてもよい。
【００１４】
これにより処理装置は、ユーザからの入力状況でユーザを識別することができるので、ユーザにあわせて、対応処理の内容を変えて行うことができるようになる。
【発明を実施するための最良の形態】
【００１５】
＜実施形態１＞
＜概要＞
ウィルスが感染する対象は、いわゆる情報処理装置であるが、これらの処理装置はそれぞれ固有の処理を行っていることから、ウィルスの感染による被害の内容も、重要度も異なってくる。
【００１６】
従って、処理装置が行っている処理の内容によって、ウィルスに感染してしまった後の対応処理が異なるのは必然であり、また、対応するユーザの処理装置に対する習熟度などによって、対応できる処理が異なってくるのも当然である。
本発明に係る処理装置は、ウィルスを発見した場合に、そのウィルスに対して自動的に駆除などの処理を行ったとしても、カバー仕切れないこれらの部分を補う機能を持つものである。
【００１７】
例えば、録画再生装置でウィルスが発見された場合は、ウィルスの駆除以外に、録画予約情報や時間設定ファイル等が改竄されていないかのチェックをする処理が必要となるなどである。
本実施形態では、ＢＤ（Blu-ray Disc）レコーダを備えている録画再生装置（以下、「録画装置」という。）が、ウィルスに感染した場合を想定する。この録画装置は、家庭内で、インターネット及び家庭内ネットワークに接続されているものであり、家庭内の複数ユーザが使用するものとする。
【００１８】
＜構成＞
図１は、本発明にかかる処理装置を用いて処理を行っている例を表す図である。
ホームネットワーク６０で、デジタルテレビ３０、パソコン３０００、録画装置１０００および録画装置２０００がつながっている。
また、ホームネットワーク６０は、ルータ４０を通してインターネット５０につながっている。
【００１９】
このホームネットワーク６０につながっている２台の録画装置のうち、録画装置１０００は、ＢＤ−ＲＯＭ１０およびＳＤ（Secure Digital）メモリカード１１（以下、「ＳＤカード」という。）に対応し、リモコン２０を備えている。また、録画装置２０００は、ＳＤカード１２に対応している。
図２は、録画装置１０００および録画装置２０００の構成を示す機能ブロック図である。
【００２０】
録画装置１０００は、ウィルス検出部１１００、録画装置状態監視部１２００、ユーザ管理部１３００、録画予約記憶部１４００、番組記憶部１５００、ユーザ情報記憶部１６００、対処情報記憶部１６５０、ユーザインターフェース部１７００、対応処理決定部１８００、対応処理部１９００およびネットワーク接続部１９５０で構成される。
ウィルス検出部１１００は、録画装置１０００のシステムに常駐して、一定の周期でウィルスの監視を行い、ウィルスを発見すると、ウィルスの駆除等の処理を行った後、対応処理決定部１８００にその旨を通知する機能を有する。
【００２１】
次に、録画装置状態監視部１２００は、録画装置１０００が、どのような処理を行っているかを監視する機能を有する。例えば、テレビ番組の録画中であるとか、ＢＤ再生中であるなどである。録画装置状態監視部１２００は、対応処理決定部１８００の依頼に応じて、現在行っている処理を対応処理決定部１８００に通知する。
ユーザ管理部１３００は、録画装置１０００にログインしている装置を管理する機能を有する。具体的には、ユーザ管理部１３００は、ログインして録画装置１０００の資源を利用できる状態にある処理装置の識別子と、その装置からログインしているユーザの識別子とを記憶等している。例えば、パソコン３０００からログインしていれば、ユーザ管理部１３００は、そのパソコン３０００の識別子（以下、「ログイン端末識別子」という。）とユーザ識別子等を記憶している。
【００２２】
また、録画予約記憶部１４００は、録画の予約情報を記憶する機能を有する。録画予約記憶部１４００が記憶する録画の予約情報とは、具体的には、録画したい番組名、放送チャンネル、開始時間などである。
番組記憶部１５００は、録画された番組などのデータを記憶する機能を有し、録画予約記憶部１４００に記憶されている録画予約番組は、原則として、この番組記憶部１５００が記憶する。
【００２３】
次に、ユーザ情報記憶部１６００は、録画装置１０００のユーザ、すなわち家人に関する情報を記憶する機能を有する。
また、対処情報記憶部１６５０は、録画装置１０００がウィルスに感染している場合に、どのような対応処理を行うかという情報を記憶する機能を有する。
これらの録画予約記憶部１４００、ユーザ情報記憶部１６００及び対処情報記憶部１６５０の記憶する内容については、図４〜図８を用いて以下の＜データ＞の項で詳しく説明する。
【００２４】
ユーザインターフェース部１７００は、録画装置１０００の操作パネル、リモコン２０、インジケータ等を含み、ユーザへの情報提示、ユーザからの指示の授受等、ユーザと情報のやり取りを行う機能を有する。
対応処理決定部１８００は、ウィルス検出部１１００からウィルスを検出した旨の通知を受けたら、録画装置状態監視部１２００などに問い合わせを行い、その問い合わせに対する返答と、対処情報記憶部１６５０などに記憶されている各種情報とを基に、対応する処理を決定する機能を有する。対応処理決定部１８００は、対応処理を決定したら、その処理を対応処理部１９００に依頼する。
【００２５】
対応処理部１９００は、対応処理決定部１８００からの依頼に応じて、処理を行う機能を有する。例えば、対応処理部１９００が行う機能は、家人の保持する携帯電話機４０００にウィルスに関連した旨および対処情報のメールを送信する機能などである。具体的にどのような処理を行う機能を有するかは、図３を用いて、説明する。
ネットワーク接続部１９５０は、ネットワーク６０と接続し、他の装置とデータのやり取りを行う機能を有する。具体的には、データを受信するときは、ネットワーク６０上を流れているパケットのなかから自分宛のパケットを拾い、データを送信するときは、パケット内の宛先に送信相手のアドレスを設定し、ネットワーク６０上に流す。
【００２６】
また、ネットワーク接続部１９５０は、後述するネットワーク切断部１９３６の指示により、ネットワークとの接続を断つ機能を有する。接続の再開は、ユーザインターフェース部１７００等を介したユーザの指示により行われる。
次に、録画装置２０００は、録画予約記憶部２４００、番組記憶部２５００およびネットワーク接続部２６００で構成される。
【００２７】
番組記憶部２５００は、録画装置１０００の番組記憶部１５００と同様の機能を有するし、ネットワーク接続部２６００は録画装置１０００のネットワーク接続部１９５０と同様の機能を有する。
また、録画予約記憶部２４００も、録画装置１０００の録画予約記憶部１４００と同様の機能を有する。但し、録画装置１０００の録画予約記憶部１４００の情報は、ユーザがユーザインターフェース部１７００を介して設定するが、録画装置２０００の録画予約記憶部２４００の情報は、ユーザが設定する他、録画装置１０００から設定される。
【００２８】
すなわち、録画装置１０００の対応処理部１９００が、録画予約記憶部１４００に記憶されている予約情報をネットワーク接続部１９５０を介して録画装置２０００に送信する。録画装置２０００の録画代行依頼部１９３３はネットワーク接続部２６００を介して受信した予約情報を録画予約記憶部２４００に記憶させる。
録画装置１０００および録画装置２０００は、上述の各機能を有するほか、通常の録画再生装置が有する録画機能、再生機能、ダビング機能等を有する。尚、これらの通常有する機能は図示していない。
【００２９】
図３は、対応処理部１９００の構成を示す機能ブロック図である。
対応処理部１９００は、ナビ表示部１９１０、メッセージ出力部１９３１、メール送信部１９３２、録画代行依頼部１９３３、録画装置初期化部１９３４、電源遮断部１９３５、ネットワーク遮断部１９３６、ＨＤＤ遮断部１９３７、ディスクeject部１９３８およびパスワード設定部１９３９で構成される。
【００３０】
ナビ表示部１９１０は、ユーザに行って欲しいウィルス対応処理を示し、ユーザをナビゲートする機能を有する。
次に、メッセージ出力部１９３１は、指定の処理装置に指定のメッセージを出力する機能を有する。メッセージ出力部１９３１は、自機以外の装置にメッセージを表示する場合には、ネットワーク接続部１９５０を介して、指定のメッセージを他の装置に送信する。
【００３１】
メール送信部１９３２は、指定のメッセージをメールとして、指定のユーザの携帯電話機４０００やメールアドレス宛に送信する機能を有する。
録画代行依頼部１９３３は、指定の録画装置に、指定の番組を録画してくれるように依頼する機能を有する。
録画装置初期化部１９３４は、本録画装置１０００を初期化する機能を有する。
【００３２】
電源遮断部１９３５は、本録画装置１０００の電源を遮断する機能を有する。
ネットワーク遮断部１９３６は、本録画装置１０００をホームネットワーク６０から外す機能を有する。この指示を受けた、ネットワーク接続部１９５０は、ネットワーク６０上を流れているパケットを一切拾わない。
ＨＤＤ遮断部１９３７は、本録画装置１０００のＨＤＤへのアクセスができないようにする機能を有する。
【００３３】
ディスクeject部１９３８は、ＢＤ−ＲＯＭ１０を排出する機能を有する。
パスワード設定部１９３９は、指定の処理が起動された場合に、指定のパスワードを要求するような設定を行う機能を有する。
録画装置１０００の各機能は、録画装置１０００のメモリ又はハードディスクに格納されているプログラムをＣＰＵが実行することにより実現される。また、録画装置２０００の各機能も、録画装置２０００のメモリ又はハードディスクに格納されているプログラムをＣＰＵが実行することにより実現される。
【００３４】
＜データ＞
以下、本処理装置で用いる主なデータについて、図４から図８を用いて説明する。
図４は、対応処理情報１６１０の構成および内容例を示す図である。
この対応処理情報１６１０は、対処情報記憶部１６５０に記憶されているものである。
対応処理情報１６１０は、装置状態１６１１、ユーザレベル１６１２および対処方法１６１３で構成される。
【００３５】
装置状態１６１１は、本録画装置１０００の状態、すなわち、実行可能な処理を示している。例えば、本録画装置１０００は、録画予約、録画およびＢＤ再生などが可能である。
ウィルスが検出された場合に、その時に行っている処理として、これらの装置状態１６１１の１つが、録画装置状態監視部１２００によって、検知されることになる。
【００３６】
ユーザレベル１６１２は、本録画装置１０００のユーザの、装置およびウィルスに対する習熟度を示したものである。例えば、「高」は習熟度が高い旨を示し、「中」は習熟度が中程度、「低」は習熟度が低い旨を示している。
また、対処方法１６１３は、ウィルスが発見された場合の、対応処理の方法である。例えば、装置状態１６１１が「録画予約あり」で、ユーザレベル１６１２が「高」の場合は、「ナビ０１起動」する。
【００３７】
本実施形態では、図４で示されるように、録画装置１０００でウィルスが検出された場合の対処方法は、録画装置１０００の状態とユーザの習熟度合いとによって異なる。
次に、図５は、メッセージ情報１６２０の構成および内容例を示す図である。
このメッセージ情報１６２０は、録画装置１０００で表示するメッセージの一覧であり、対処情報記憶部１６５０に記憶されている。
【００３８】
メッセージ情報１６２０は、メッセージ番号１６２１およびメッセージ１６２２で構成される。
メッセージ番号１６２１は、メッセージを識別する番号であり、表示指示する場合には、この番号を指定する。
メッセージ１６２２は、メッセージの本文を表し、メッセージの識別番号であるメッセージ番号１６２１と、１対１の関係である。
【００３９】
このメッセージ情報１６２０は、メッセージ出力部１９３１がメッセージを出力する際に、メッセージ出力部１９３１により参照される。例えば、番号「１１」を指定して、メッセージ出力部１９３１に依頼すると、メッセージ「ウィルスを検知しました。各種設定が改竄されていないか確認してください。」とメッセージが出力される。
図６は、ユーザレベル情報１６３０の構成および内容例を示す図である。
【００４０】
このユーザレベル情報１６３０は、ユーザ情報記憶部１６００に記憶されており、家人一人一人の、録画装置１０００の習熟度を表したものである。これらは、ユーザインターフェース部１７００を介して、ユーザによって入力される。
ユーザレベル情報１６３０は、ユーザ識別子１６３１、レベル１６３２およびメールアドレス１６３３で構成される。
【００４１】
ユーザ識別子１６３１とは、ユーザ一人ひとりに割り振られ使われる文字列などであり、各ユーザ固有のものである。例えば、家族全員がひとつずつ割り当てられている。
また、レベル１６３２は、対応するユーザ識別子１６３１が割り当てられているユーザの、本録画装置１０００などに対する習熟度を示す。
メールアドレス１６３３は、対応するユーザ識別子１６３１が割り当てられているユーザの、メールアドレス１６３３を表す。ウィルスが発見された場合等の連絡先である。
【００４２】
例えば、ユーザ識別子１６３１「Ｕｓｅｒ０１」が割り当てられているユーザは、録画装置１０００などに対する習熟のレベル１６３２が「高」く、連絡先のメールアドレス１６３３は「User01@xxx.or.jp」である。
次に、図７は、ユーザ在宅情報１６４０の構成および内容例を示す図である。
このユーザ在宅情報１６４０は、ユーザレベル情報１６３０と共に、ユーザ情報記憶部１６００に記憶されており、家人一人一人の在宅予定時間が記憶されている。これらは、ユーザインターフェース部１７００を介して、ユーザによって入力される。ここでは、１例を示しているが、曜日、月などによって異なることとしても良い。
【００４３】
ユーザ在宅情報１６４０は、在宅時間帯１６４１および在宅ユーザ１６４２で構成される。
在宅時間帯１６４１は、ユーザが在宅している期間を示している。
また、在宅ユーザ１６４２は、対応する在宅時間帯１６４１に在宅しているユーザのユーザ識別子を示している。
【００４４】
例えば、在宅時間帯１６４１が「０：００〜７：００」では、「Ｕｓｅｒ０１」、「Ｕｓｅｒ０２」、「Ｕｓｅｒ０３」のユーザ３人が在宅予定である。
図８は、録画予約情報１４１０の構成および内容例を示す図である。
この録画予約情報１４１０は、録画予約記憶部１４００に記憶されており、この録画装置１０００で録画の予約がされている番組等が記録されている。これらは、ユーザインターフェース部１７００を介して、ユーザによって入力される。
【００４５】
録画予約情報１４１０は、日付１４１１、録画時間１４１２、チャンネル１４１３および番組名１４１４で構成される。
日付１４１０は、録画予約する番組の放送日である。
録画時間１４１２は、録画予約する番組の放送時間であり、すなわち録画する時間である。
【００４６】
チャンネル１４１３は、録画予約する番組が、放送されるチャンネルであり、番組名１４１４は、録画予約する番組の番組名を示す。
例えば、日付１４１１「２／１３」、録画時間１４１２「１０：３０〜１１：００」、チャンネル１４１３「１０」、番組名１４１４「今日の料理」は、２月１３日の１０時３０分から１１時まで、１０チャンネルで放送される番組「今日の料理」の録画を予約することを示す。
【００４７】
＜動作＞
以下、本発明に係る録画装置１０００の動作について図９〜図１５を用いて説明する。
図９は、録画装置１０００のウィルス対応処理を表すフローチャートである。
録画装置１０００では、ウィルス検出部１１００が、一定時間毎にウィルスが混入していないかをチェックする（ステップＳ１００）。
【００４８】
ウィルス検出部１１００は、ウィルスを検知した場合には（ステップＳ１００：ＹＥＳ）、ウィルス駆除等の処理を行った後、対応処理決定部１８００にその旨通知する。
ウィルスを検出した旨の通知を受けた対応処理決定部１８００は、まず、対応処理部１９００のネットワーク遮断部１９３６に依頼して、本録画装置１０００を外部のネットワークから切り離す。
【００４９】
次に、対応処理決定部１８００は、録画装置状態監視部１２００に、装置の状態を問い合わせる（ステップＳ１１０）。
問い合わせを受けた録画装置状態監視部１２００は、装置状態を対応処理決定部１８００に返す。
この装置状態とは、具体的には、対応処理情報１６１０の装置状態１６１１のいずれかの状態である。録画予約記憶部１４００の録画予約情報１４１０に、現時点以降の録画予約が入っている場合は「録画予約あり」の状態と判断する。また、録画装置１０００の録画の機能が動いている場合は「録画中」、ＢＤが再生されていれば「ＢＤ再生中」の状態と判断する。
【００５０】
本実施形態では、装置状態とは、以上の３種類であるとして説明するが、他の装置状態があってもよい。また、複数の装置状態が検知された場合は、それらの状態に応じて、優先順位を付けて処理を行ったり、どちらか一方の状態に対して処理を行う等としてもよいが、本実施形態では、説明の便宜上、装置状態は１つである場合を想定して、説明を行うものとする。
【００５１】
録画装置状態監視部１２００から装置状態を受け取った対応処理決定部１８００は、装置状態に応じて、各処理を行う（ステップＳ１２０、ステップＳ１３０、ステップＳ１４０）。
各処理が終了したら、対応処理決定部１８００は、録画装置１０００のウィルス対応処理を続行するか否か、すなわち、ウィルスの検出を再び開始するか否かを判断する（ステップＳ１５０）。
【００５２】
対応処理決定部１８００が、ウィルス対応処理を続行すると判断した場合には（ステップＳ１５０：ＹＥＳ）、外部のネットワークとの接続処理等を行った後、ウィルス検出部１１００にウィルスの検出を開始する旨の依頼をし、再度ウィルス対応処理を開始する（ステップＳ１００）。
一方、対応処理決定部１８００が、ウィルス対応処理を続行しないと判断した場合には（ステップＳ１５０：ＮＯ）、ウィルス対応処理を終了する。
【００５３】
ここで、対応処理決定部１８００は、原則として、ウィルス対応処理を続行すると判断する。対応処理が終了し、録画装置１０００は正常な状態に戻っていると考えられるからである。
対応処理決定部１８００が、ウィルス対応処理を続行しないと判断する場合は、対応処理において電源をＯＦＦすると判断された場合や、対応処理が正常に終了されなかった場合である。対応処理が正常に終了されなかった場合などは、外部のネットワークと接続するのは安全ではないと考えられ、外部のネットワークとの接続は行わないことから、ウィルス対応処理を行う必要がないからである。
【００５４】
以下、録画予約ありの処理（ステップＳ１３０）、録画中の処理（ステップＳ１２０）およびＢＤ再生中の処理（ステップＳ１４０）をそれぞれ説明する。
＜１．録画予約ありの処理＞
図１０を用いて説明する。図１０は、録画予約ありの処理を表すフローチャートである。
【００５５】
ウィルス検出部１１００によって、ウィルスが検出されたのは、２月１３日の１７時であるとする。
まず、録画装置状態監視部１２００から装置状態が「録画予約あり」である旨受け取った対応処理決定部１８００は、まず、録画予約情報１４１０を退避させる処理を行う（ステップＳ１３１）。この処理の詳細は、＜１−１．録画予約情報の退避処理＞で説明する。
【００５６】
次に、対応処理決定部１８００は、ユーザ情報記憶部１６００に記憶されているユーザ在宅情報１６４０を読み出し、現時点で在宅しているユーザが誰であるかを検出する（ステップＳ１３２）。
現時刻が１７時であることから、在宅時間帯１６４１が「１６：００〜２１：００」に対応する在宅ユーザ１６４２が、在宅ユーザであることがわかる。すなわち、「Ｕｓｅｒ０２」と「Ｕｓｅｒ０３」の２人である。
【００５７】
次に、対応処理決定部１８００は、ユーザ情報記憶部１６００に記憶されているユーザレベル情報１６３０を読み出し、現時点で在宅しているユーザのレベルを検出する（ステップＳ１３３）。
在宅しているユーザは、「Ｕｓｅｒ０２」と「Ｕｓｅｒ０３」の２人であることから、ユーザ識別子１６３１に対応するレベル１６３２は、それぞれ「中」と「低」となる。
【００５８】
在宅しているユーザの各レベルを検出した対応処理決定部１８００は、これらの在宅しているユーザのうちで、最も高いレベルを判定する（ステップＳ１３４）。この際、対応処理決定部１８００は、最も高いレベルとそのユーザ識別子とを、作業メモリ内に記憶しておく。
最も高いレベルを判定した対応処理決定部１８００は、対処情報記憶部１６５０に記憶されている対応処理情報１６１０を読み出し、対処方法１６１３を決定する。
【００５９】
具体的には、録画装置状態監視部１２００から受け取った装置状態１６１１「録画予約あり」で、ユーザレベル１６１２でもっとも高いレベル、この場合は「中」であることから、対処方法１６１３は「ナビ０２起動」と決定されることになる。
また、対応処理決定部１８００は、ユーザ管理部１３００に、現時点でのログイン端末識別子とログインしているユーザ識別子とを要求する。
【００６０】
要求を受けたユーザ管理部１３００は、ログインしているパソコン等を検索し、そのパソコンのログイン端末識別子とログインしているユーザ識別子とを、対応処理決定部１８００に返す。
ユーザ識別子等を受取った対応処理決定部１８００は、これらのログインしているユーザ識別子の中に、現時点でのユーザレベル１６１２のもっとも高いレベルのユーザがあれば、そのユーザがログインしているパソコンに、ナビのメッセージ等を出すこととする。
【００６１】
また、対応処理決定部１８００は、ログインしているユーザ識別子の中に、現時点でのユーザレベル１６１２のもっとも高いレベルのユーザがない場合は、全てのパソコンや家電のディスプレイに、ナビのメッセージ等を表示することとする。
例えば、ユーザ識別子１６３１「Ｕｓｅｒ０２」のユーザが最も高いレベルであれば、「Ｕｓｅｒ０２」がログインしているパソコンにメッセージを出し、「Ｕｓｅｒ０２」がログインしていなければ、ホームネットワークに接続されている全ての家電のディスプレイにメッセージを出す。
【００６２】
対処方法１６１３を決定した対応処理決定部１８００は、録画予約情報１４１０を退避させ、「ナビ０２」を起動する旨、対応処理部１９００に依頼する。対応処理決定部１８００は、特定のパソコンにナビにメッセージ等を表示する場合は、そのログイン端末識別子を、対応処理部１９００に対応方法を指示すると同時に渡すものとする。
「ナビ０２」を起動する旨の依頼を受けた対応処理部１９００は、ナビ表示部１９１０に「ナビ０２」を実行するよう依頼し（図２参照）、依頼を受けたナビ表示部１９１０は、「ナビ０２」を実行する（ステップＳ２１０）。
【００６３】
次に、図１１、図１２および図１３を用いて、「ナビ０１」、「ナビ０２」および「ナビ０３」を説明する。
本実施形態の対処方法１６１３である、「ナビ０１」、「ナビ０２」、「ナビ０３」は、「ナビ０１」から「ナビ０２」が分岐し、「ナビ０２」から「ナビ０３」が分岐する形を取っている。また、「ナビ０２」、「ナビ０３」からの実行も可能である。
【００６４】
例えば、ユーザレベル１６１２が「高」の在宅ユーザ向けである「ナビ０１」によって、対応処理が指示され、処理が誘導されていく場合に、「ナビ０１」の入力要求にも関わらず、一定時間ユーザから入力がなかった場合や、入力されたデータが意味を成さないものであった場合には、「ナビ０２」の処理に移ることになる。
また、同様に、「ナビ０２」の入力要求にも関わらず、一定時間ユーザから入力がなかった場合や、入力されたデータが意味を成さないものであった場合には、「ナビ０３」の処理に移る。
【００６５】
以下、録画予約情報１４１０を退避させる処理を説明したあと、「ナビ０１」、「ナビ０２」、「ナビ０３」について説明する。
＜１−１．録画予約情報の退避処理＞
録画装置状態監視部１２００から装置状態が「録画予約あり」である旨受け取った対応処理決定部１８００は、予約されている録画を他の録画装置に依頼するよう録画代行依頼部１９３３に指示する。
【００６６】
指示を受けた録画代行依頼部１９３３は、録画予約記憶部１４００の録画予約情報１４１０（図８参照）を読み出し、録画装置２０００（図２参照）に読み出した録画予約情報１４１０を送信し、録画の依頼をする。
録画代行依頼部１９３３から録画予約情報１４１０を受信した録画装置２０００は、録画予約記憶部２４００に保存する。この録画装置２０００は、この録画予約情報１４１０が記憶されていれば、録画予約に従って、番組記憶部２５００に番組を録画することになる。
【００６７】
録画予約情報１４１０を保存した録画装置２０００は、その旨を録画代行依頼部１９３３に通知し、保存した旨を受け取った録画代行依頼部１９３３は、録画予約記憶部１４００内の録画予約情報１４１０を消去する。
この録画代行依頼部１９３３が、録画の代行を依頼する録画装置２０００は、予めユーザが設定しているものとする。尚、録画代行依頼部１９３３が録画予約の時間等を考慮して、その時間に予約の入っていない録画装置や、ウィルスが検出されていない録画装置を検索すること等としてもよい。
【００６８】
ナビ０１の処理について、図１１を用いて説明する。図１１は、「ナビ０１」の処理を表すフローチャートである。また、フローチャートの右側の図は、メッセージ等の表示を表している。
ウィルス検出部１１００によって、ウィルスが検出されたのは、２月１３日の６時であり、対応処理決定部１８００が決定した対処方法１６１３は「ナビ０１」、パソコン３０００には、ユーザレベル１６１２が「高」のユーザはログインしていないものとする。
【００６９】
対処方法１６１３を決定した対応処理決定部１８００は、メッセージ等の出力対象がすべての装置である旨と、「ナビ０１」を起動する旨とを対応処理部１９００に通知し、実行を依頼する。
「ナビ０１」実行の依頼を受けた対応処理部１９００は、ナビ表示部１９１０に「ナビ０１」を実行するよう依頼する（図２参照）。
【００７０】
依頼を受けたナビ表示部１９１０は、まず、警告メッセージを表示する旨、メッセージ出力部１９３１に依頼する。その際、ナビ表示部１９１０は、表示させたいメッセージ１６２２のメッセージ番号１６２１を指定する（図５参照）。
メッセージの表示依頼を受けたメッセージ出力部１９３１は、対処情報記憶部１６５０に記憶されているメッセージ情報１６２０を読み出し、受け取ったメッセージ番号１６２１に該当するメッセージ１６２２をホームネットワーク６０でつながっている装置に表示する（ステップＳ２０１、メッセージ画面５０００）。
【００７１】
メッセージ出力部１９３１にメッセージの出力依頼をしたナビ表示部１９１０は、次に、パスワード設定部１９３９にパスワードを設定するよう依頼する。
ナビ表示部１９１０から依頼を受けたパスワード設定部１９３９は、パスワード入力画面５１００を表示し（ステップＳ２０２）、パスワード入力欄５１１０へのキーボード入力以外の入力を受け付けないように、ユーザインターフェース部１７００等に依頼する。
【００７２】
ここで設定するパスワードは、予めユーザが設定しておいたパスワードとする。
パスワード入力欄５１１０に正しいパスワードが入力されると（ステップＳ２０３：ＹＥＳ）、それを検知したパスワード設定部１９３９は各種入力を可能とするよう、ユーザインターフェース部１７００等に依頼する。
正しいパスワードが入力された旨を通知されたナビ表示部１９１０は、その後の対応処理をユーザに任せることとする。正しいパスワードを知っているユーザは、行うべき処理を知っているユーザであると判断するからである。
【００７３】
その後、録画装置１０００は、ユーザの指示に従い録画予約の復旧処理を行う（ステップＳ２０４）。
例えば、ユーザの指示により、ユーザインターフェース部１７００等を介して録画装置初期化部１９３４に依頼し、録画装置１０００を初期状態にもどす。その後、ユーザは、録画装置２０００の録画予約部２４００に記憶されている録画予約情報１４１０が正しいかをチェックし、正しければ、録画装置２０００の録画予約部２４００に記憶されている録画予約情報１４１０を録画装置１０００の録画予約記憶部１４００に移動する。
【００７４】
その後、所定のメニュー項目を選択するなど、ユーザから復旧処理が終了した旨を受取った録画装置１００は、その旨をナビ表示部１９１０に通知し、通知を受けたナビ表示部１９１０は「ナビ０１」の処理を終了する。
パスワード入力画面５１００が表示された時に、所定時間経っても、パスワードの入力がないか、所定回数正しくないパスワードが入力された場合には（ステップＳ２０３：ＮＯ）、ナビ表示部１９１０は、「ナビ０１」の処理を終了して、「ナビ０２」の処理を行う。
【００７５】
＜１−３．ナビ０２＞
ナビ０２の処理について、図１２を用いて説明する。図１２は、「ナビ０２」の処理を表すフローチャートである。また、フローチャートの右側の図は、メッセージ等の表示を表している。
この「ナビ０２」の処理が行われるのは、次の２つの場合である。
【００７６】
１つは、「ナビ０１」から続けて実行される場合であり、２つ目は、対応処理決定部１８００が対処方法１６１３として「ナビ０２」を決定した場合である。
対応処理決定部１８００が決定した対処方法１６１３が「ナビ０２」である場合は、対応処理決定部１８００が対応処理部１９００に「ナビ０２」の処理を行う旨の依頼をすることになる。
【００７７】
ここでは、＜１−２．ナビ０１＞で説明した「ナビ０１」から「ナビ０２」に処理が移ったとして、「ナビ０２」の処理を説明する。
「ナビ０２」も「ナビ０１」と同様に、ナビ表示部１９１０が処理を制御する。
「ナビ０２」の処理を行うべきであると判断したナビ表示部１９１０は（図１１参照）、メッセージ出力部１９３１に依頼し、録画予約情報の内容の確認を促す「予約リストの確認ガイド」メッセージを表示する（ステップＳ２１１、メッセージ画面５２００）。
【００７８】
メッセージ出力部１９３１にメッセージの出力依頼をしたナビ表示部１９１０は、その後、ユーザがＳＤカードをスロットに入れて、録画予約記憶部１４００に録画予約情報１４１０を作成することを検知した場合には（ステップＳ２１２：ＹＥＳ）、「ナビ０２」の処理を終了する。
ナビ表示部１９１０は、ＳＤカードが入れられて録画予約情報１４１０が作成されれば、録画予約情報１４１０が復旧したと判断するからである。
【００７９】
また、ユーザからの「ナビ０２」終了の指示を受け取った場合も、「ナビ０２」の処理を終了する。
所定時間経過しても、ＳＤカードがスロットに入れられなければ（ステップＳ２１２：ＮＯ）、録画予約情報１４１０は復旧していないと判断して、「ナビ０３」の処理を行う。
【００８０】
ＳＤカードをスロットに入れて、録画予約記憶部１４００に録画予約情報１４１０を作成する（ステップＳ２１２参照）ために、ユーザの行う具体的な作業を説明する。
「予約リストの確認ガイド」メッセージ（メッセージ画面５２００参照）を見たユーザは、以下の処理を行う。
ユーザはまず、録画装置２０００の録画予約記憶部２４００に記憶されている録画予約情報１４１０が改竄されていないか等を確認し、ＳＤカードに記憶する。
【００８１】
その録画予約記憶部２４００が記憶されているＳＤカードを、録画装置１０００のスロットに入れて、ＳＤカードから録画予約情報１４１０を、録画装置１０００の録画予約記憶部１４００に記憶する（この時点で、「ナビ０２」は終了する。）。
その後、録画装置２０００に記憶されている録画予約記憶部２４００を消去する。
＜１−４．ナビ０３＞
ナビ０３の処理について、図１３を用いて説明する。図１３は、「ナビ０３」の処理を表すフローチャートである。また、フローチャートの右側の図は、メッセージ等の表示を表している。
【００８２】
この「ナビ０３」の処理が行われるのは、次の２つの場合である。
１つは、「ナビ０２」から続けて実行される場合であり、２つ目は、対応処理決定部１８００が対処方法１６１３として「ナビ０３」を決定した場合である。
対応処理決定部１８００が決定した対処方法１６１３が「ナビ０３」である場合は、対応処理決定部１８００が対応処理部１９００に「ナビ０３」の処理を行う旨の依頼をすることになる。
【００８３】
ここでは、＜１−３．ナビ０２＞で説明した「ナビ０２」から「ナビ０３」に処理が移ったとして、「ナビ０３」の処理を説明する。
「ナビ０３」も「ナビ０１」および「ナビ０１」と同様に、ナビ表示部１９１０が処理を制御する。
「ナビ０３」の処理を行うべきであると判断したナビ表示部１９１０は（図１２参照）、録画装置２０００の録画予約記憶部２４００に記憶されている録画予約情報１４１０を読み出す。
【００８４】
読み出した録画予約情報１４１０をメッセージ出力部１９３１に渡し、この録画予約情報１４１０と番組の録画予約を再度の入力を促す「予約リストの再予約ガイド」メッセージとを表示する旨、依頼する。
メッセージと録画予約情報とを表示する旨の依頼を受けたメッセージ出力部１９３１は、これらを表示する（ステップＳ２２１、メッセージ画面５３００、予約番組リスト５３１０）。
【００８５】
ナビ表示部１９１０は、またＥＰＧ（Electronic Program Guide）の画面を表示して（ステップＳ２２２）、ＥＰＧのデータを元に録画予約を受け付ける準備を行う。ナビ表示部１９１０は、ユーザインターフェース部１７００にＥＰＧの画面を表示し、録画予約を受け付けるよう指示を出す。
ユーザは、「予約リストの再予約ガイド」メッセージ画面５３００の予約番組リスト５３１０を見ながら、ＥＰＧ画面から再度番組の録画予約を行う（ステップＳ２２３）。
【００８６】
ユーザの録画予約の処理が終了したことを検知したナビ表示部１９１０は、「ナビ０３」の処理を終了する。
＜２．録画中の処理＞
録画中の処理について、図１４を用いて説明する。図１４は、録画中の処理を表すフローチャートである。
【００８７】
ウィルス検出部１１００によって、ウィルスが検出されたのは、２月１３日の１７時であるとする。
まず、録画装置状態監視部１２００から装置状態が「録画中」である旨受け取った対応処理決定部１８００は、現時点で在宅しているユーザが誰であるかを検出し（ステップＳ１３１）、在宅ユーザのレベルを検出する（ステップＳ１３２）。次に、これらの在宅しているユーザのうちで、最も高いレベルを判定する（ステップＳ１３３）。
【００８８】
これらの処理は、図１０のステップＳ１３１、ステップＳ１３２、ステップＳ１３３と同様である。
この時刻に在宅しているユーザは、「Ｕｓｅｒ０２」と「Ｕｓｅｒ０３」の２人であり、ユーザ識別子１６３１に対応するレベル１６３２は、それぞれ「中」と「低」であり、最も高いレベルは、「中」であることがわかる。
【００８９】
最も高いレベルを判定した対応処理決定部１８００は、対処情報記憶部１６５０に記憶されている対応処理情報１６１０を読み出し、対処方法１６１３を決定する。
具体的には、録画装置状態監視部１２００から受け取った装置状態１６１１「録画中」で、ユーザレベル１６１２でもっとも高いレベル、この場合は「中」であることから、対処方法１６１３は「メッセージ１２」と決定されることになる。
【００９０】
対処方法１６１３を決定した対応処理決定部１８００は、その決定に従い処理を行う。
すなわち、在宅ユーザのうち最も高いユーザレベル１６１２が「高」の場合、対応処理決定部１８００は、対応処理部１９００のメッセージ出力部１９３１にメッセージ番号１６２１「１１」を渡し、メッセージ１６２２を表示するよう依頼する。
メッセージの表示依頼を受けたメッセージ出力部１９３１は、メッセージ番号１６２１「１１」に対応するメッセージ１６２２を表示する（ステップＳ１２２、図５参照）。
【００９１】
また、在宅ユーザのうち最も高いユーザレベル１６１２が「中」又は「低」の場合、対応処理決定部１８００は、まず、録画処理を中止し、対応処理部１９００のＨＤＤ遮断部１９３７にＨＤＤへのアクセスを遮断するよう依頼する。
依頼を受けたＨＤＤ遮断部１９３７は、ＨＤＤへのアクセスを出来なくする（ステップＳ１２３）。
【００９２】
次に、対応処理決定部１８００は、対応処理部１９００のメッセージ出力部１９３１にメッセージ番号１６２１「１２」を渡し、メッセージ１６２２を表示するよう依頼する。
メッセージの表示依頼を受けたメッセージ出力部１９３１は、メッセージ番号１６２１「１２」に対応するメッセージ１６２２を表示する（ステップＳ１２４、図５参照）。
これらのメッセージを見たユーザは、メッセージの指示に従い対応処理を行う。
【００９３】
＜３．ＢＤ再生中の処理＞
ＢＤ再生中の処理について、図１５を用いて説明する。図１５は、ＢＤ再生中の処理を表すフローチャートである。
ウィルス検出部１１００によって、ウィルスが検出されたのは、２月１３日の１７時であるとする。
【００９４】
まず、録画装置状態監視部１２００から装置状態が「ＢＤ再生中」である旨受け取った対応処理決定部１８００は、最初に、対応処理部１９００のディスクeject部１９３８に、ＢＤの放出依頼を行う。
依頼を受けたディスクeject部１９３８は、再生処理を中止し、ＢＤを放出する（ステップＳ１３４）。
【００９５】
その後、対応処理決定部１８００は、現時点で在宅しているユーザが誰であるかを検出し（ステップＳ１３１）、在宅ユーザのレベルを検出する（ステップＳ１３２）。次に、これらの在宅しているユーザのうちで、最も高いレベルを判定する（ステップＳ１３３）。
これらの処理は、図１０のステップＳ１３１、ステップＳ１３２、ステップＳ１３３と同様である。
【００９６】
この時刻に在宅しているユーザは、「Ｕｓｅｒ０２」と「Ｕｓｅｒ０３」の２人であり、ユーザ識別子１６３１に対応するレベル１６３２は、それぞれ「中」と「低」であり、最も高いレベルは、「中」であることがわかる。
最も高いレベルを判定した対応処理決定部１８００は、対処情報記憶部１６５０に記憶されている対応処理情報１６１０を読み出し、対処方法１６１３を決定する。
【００９７】
具体的には、録画装置状態監視部１２００から受け取った装置状態１６１１「ＢＤ再生中」で、ユーザレベル１６１２でもっとも高いレベル、この場合は「中」であることから、対処方法１６１３は「メッセージ３２」と決定されることになる。
対処方法１６１３を決定した対応処理決定部１８００は、その決定に従い処理を行う。
すなわち、在宅ユーザのうち最も高いユーザレベル１６１２が「高」の場合、対応処理決定部１８００は、対応処理部１９００のメッセージ出力部１９３１にメッセージ番号１６２１「３１」を渡し、メッセージ１６２２を表示するよう依頼する。
【００９８】
メッセージの表示依頼を受けたメッセージ出力部１９３１は、メッセージ番号１６２１「３１」に対応するメッセージ１６２２を表示する（ステップＳ１４２、図５参照）。
次に、在宅ユーザのうち最も高いユーザレベル１６１２が「中」の場合、対応処理決定部１８００は、対応処理部１９００のメッセージ出力部１９３１にメッセージ番号１６２１「３２」を渡し、メッセージ１６２２を表示するよう依頼する。
【００９９】
メッセージの表示依頼を受けたメッセージ出力部１９３１は、メッセージ番号１６２１「３２」に対応するメッセージ１６２２を表示する（ステップＳ１４３、図５参照）。
また、在宅ユーザのうち最も高いユーザレベル１６１２が「低」の場合、対応処理決定部１８００は、対応処理部１９００のメッセージ出力部１９３１にメッセージ番号１６２１「３３」を渡し、メッセージ１６２２を表示するよう依頼する。
【０１００】
メッセージの表示依頼を受けたメッセージ出力部１９３１は、メッセージ番号１６２１「３３」に対応するメッセージ１６２２を表示する（ステップＳ１４４、図５参照）。
次に、対応処理決定部１８００はパスワード設定部１９３９に、パスワードの設定を依頼する。ここで設定するパスワードは、対応処理決定部１８００が新たに決めた文字列（以下、「パスワード文字列」という。）である。
【０１０１】
パスワード文字列でのパスワードの設定の依頼を受けたパスワード設定部１９３９は、パスワードの設定を行い、パスワード以外の入力を受け付けないようにする（ステップＳ１４５）。この際、電源が入ったときに、パスワード入力画面を表示するように設定する。
パスワード設定部１９３９にパスワードの設定依頼を行った後、対応処理決定部１８００は、レベルが最も高いユーザに対して、設定したパスワード文字列を知らせるメールを送信する。
【０１０２】
具体的には、対応処理決定部１８００が、ユーザ情報記憶部１６００のユーザレベル情報１６３０を読み出し、レベル１６３２の最も高いものに対応するメールアドレス１６３３を選択する。
対応処理決定部１８００は、このメールアドレス１６３３とパスワード文字列とをメール送信部１９３２に渡し、メールの送信を依頼する。
【０１０３】
メールの送信依頼を受けたメール送信部１９３２は、パスワード文字列を含み、ＢＤ再生中にウィルスに感染した旨の通信文を、受け取ったメールアドレス１６３３宛に送信する（ステップＳ１４６）。
例えば、レベル１６３２「高」のメールアドレス１６３３「User01@xxx.or.jp」宛に、パスワード文字列を知らせるメールを送る（図６参照）。
【０１０４】
その後、対応処理決定部１８００は、電源遮断部１９３５に電源を切るように依頼する。
依頼を受けた電源遮断部１９３５は、電源を遮断する（ステップＳ１４７）。
＜実施形態２＞
＜概要＞
実施形態１では、ウィルスに感染した後の復旧措置に関して説明したが、本実施形態では、その復旧措置を容易ならしめるための事前措置に関して説明する。
【０１０５】
事前措置として、次ぎの２つの措置を説明する。
1つ目の措置は、ある装置がインターネットからコンテンツ等をダウンロードする際には、事前に、保護が必要な情報をバックアップしておくものである。
また、２つ目の措置は、ある装置がインターネットからコンテンツ等をダウンロードしている間は、他の装置をネットワークから切離しておくものである。
【０１０６】
1つ目の措置は、例えば、ウィルスが発見されたときには既に情報が壊されているような場合に、情報の復旧が可能となる点で有効であり、２つ目の措置は、例えば、感染したらすぐに他のコンピュータに拡散するようなウィルスに感染した場合に、他のコンピュータを感染させることなく駆除できる点で有効である。
これらの措置は、両方行っても、どちらか一方を行ってもよい。
【０１０７】
以下、実施形態１との差異のみを説明する。
＜構成＞
図１６は、本発明にかかる処理装置を用いて実施形態２の処理を行っている例を表す図である。
本図で示される例と、図１で示される例との違いは、録画装置１０００などの各処理装置をつなげているホームネットワークが、図１では、いわゆるバス型ネットワークであり、本図では、いわゆるスター型ネットワークである点である。
【０１０８】
本実施形態においては、ルータ８８００を中心としたスター型ネットワークで説明を行うものとする。
図１６において、パソコン３０００、録画装置１０００および録画装置２０００は、それぞれ接続線（６１、６２、６３）でルータ４０とつながっており、ルータ４０を通してインターネット５０につながっている。
【０１０９】
図１７は、実施形態２の録画装置等の構成を示す機能ブロック図であり、図１８は、実施形態２の対応処理部８７００の構成を示す機能ブロック図である。
本実施形態の装置の機能部のうち、実施形態１の機能部と異なるのは、録画装置１０００の対応処理部８７００、ネットワーク接続部８８００、録画装置２０００のネットワーク接続部８９００およびルータ８０００である。
【０１１０】
対応処理部８７００は、本実施形態に必要な情報退避部８７０１が追加され、ネットワーク遮断部８７０２に機能が追加されている。
情報退避部８７０１は、ウィルスに改竄されては困るような情報を、事前に指定された装置、媒体等に退避する機能を有する。退避先の装置や退避させる情報等は、事前にユーザが指定してあるものとする。
【０１１１】
本実施形態のネットワーク遮断部８７０２は、実施形態１のような自装置をネットワークから切離す機能のほか、自装置以外の装置をネットワークから切離す旨の指示を出す機能と、再接続する旨の指示を出す機能を有する。
また、実施形態１のネットワーク接続部（１９５０、２６００）は、ネットワークと接続してデータのやり取りを行う機能のほか、ネットワークとの接続を断つ機能を有していたが、本実施形態のネットワーク接続部（８８００、８９００）では接続を断つ機能は有していないものとする。
【０１１２】
すなわち、ネットワーク切断部１９３６からの指示は、ネットワーク接続部８８００を介して、そのままルータ８０００に送られる。
ルータ８０００は、通常のルータの機能のほか、本発明独自の機能を行う為、ルーティングテーブル記憶部８１００およびルーティング制御部８２００とを備える。
ルーティングテーブル記憶部８１００は、通常のルータが記憶している各装置のアドレスの他に、各装置の接続状態を記憶している。
【０１１３】
次に、ルーティング制御部８２００は、通常のルータが有する、いわゆるルーティング機能の他、受信したパケットの宛先の装置の接続状態に応じて、パケットを送信したりしなかったりする機能を有する。
＜データ＞
図１９は、接続状態管理テーブル８１１０の構成および内容例を示す図である。
【０１１４】
この接続状態管理テーブル８１１０は、ルーティングテーブル記憶部８１００に記憶されている。
接続状態管理テーブル８１１０は、装置名８１１１、装置アドレス８１１２および接続状態８１１３で構成される。
装置名８１１１は、ルータ８０００が管理する装置の識別子であり、装置アドレス８１１２は、それら装置の宛先であるアドレスである。
【０１１５】
接続状態８１１３は、装置名８１１０で示される装置の接続の状態であり、「接続」と「切断」のどちらかが設定されている。
ルーティング制御部８２００は、「接続」が設定されている場合は、対応する装置アドレス８１１２宛のパケットは、そのアドレスの装置へ送信するが、「切断」が設定されている場合には、送信しない。
【０１１６】
この接続状態８１１３は、対応処理部８７００のネットワーク切断部８７０２の指示により設定される。
＜動作＞
＜措置１＞
この措置は、ある装置がインターネットからコンテンツ等をダウンロードする際に、事前に、保護が必要な情報をバックアップしておくものである。
【０１１７】
この保護が必要な情報は、コンテンツをダウンロードする装置に記憶されている情報だけでなく、他の装置に記憶されている情報であってもよい。
例えば、ＢＤプレーヤ／レコーダで、ＢＤ−Ｊａｖａ（登録商標）によるコンテンツをダウンロードする際、そのダウンロード前に、当該ＢＤプレーヤ／レコーダにある保護が必要とされる情報を他の装置にバックアップする場合などである。
【０１１８】
まず、ユーザが録画装置１０００で、インターネットからコンテンツをダウンロードするようユーザインターフェース部１７００を操作する。
ダウンロードする旨を検知したユーザインターフェース部１７００は、コンテンツをダウンロードする通常の処理を行う前に、対応処理部１９００にその旨通知する。
通知を受けた対応処理部１９００は、情報退避部８７０１に事前に指定されている情報、例えば、自装置の予約記憶部１４００に記憶されている予約情報などを指定の装置に退避させるよう指示を出す。
【０１１９】
退避の指示を受けた情報退避部８７０１は、事前に指定されている情報を読み出し、ネットワーク接続部８８００を介して、指定されている装置に退避させる。
他の装置の情報も指定されている場合には、該当する装置に、情報を退避させる旨の指示を出す。
情報退避部８７０１は、退避が完了したら、退避先の装置をネットワークからはずすようにネットワーク遮断部８７０２に指示する。
【０１２０】
指示を受けたネットワーク遮断部８７０２は、退避先の装置をネットワークからはずす旨、ネットワーク接続部８８００を介してルーティング制御部８２００に依頼する。
依頼を受けたルーティング制御部８２００は、退避先の装置の接続状態を「切断」とする。例えば、退避先の装置が装置名８１１１「パソコン」であれば、対応する接続状態８１１３を「切断」とする。
【０１２１】
退避先の装置をネットワークからはずした情報退避部８７０１は、情報の退避が完了した旨を対応処理部８７００に通知し、通知を受けた対応処理部８７００は、情報の退避が完了した旨をユーザインターフェース部１７００に返す。
退避が完了した旨の通知を受けたインターフェース部１７００は、通常のコンテンツのダウンロードの処理を開始する。
【０１２２】
尚、退避先の装置がネットワークから切断されている場合は、情報退避部８７０１は、情報の退避前にネットワーク遮断部８７０２に、退避先の装置のネットワーク接続を依頼し、接続後に情報を退避する。
＜措置２＞
この措置は、ある装置がインターネットからコンテンツ等をダウンロードしている間は、他の装置をネットワークから切離しておくものである。
【０１２３】
まず、ユーザが録画装置１０００で、インターネットからコンテンツをダウンロードするようユーザインターフェース部１７００を操作し、ダウンロードする旨を検知したユーザインターフェース部１７００は、コンテンツをダウンロードする通常の処理を行う前に、対応処理部１９００にその旨通知する。
通知を受けた対応処理部１９００は、自装置以外の装置をネットワークからはずすようにネットワーク遮断部８７０２に指示する。
【０１２４】
指示を受けたネットワーク遮断部８７０２は、自装置以外の装置をすべて指定して、ネットワークからはずす旨、ネットワーク接続部８８００を介してルーティング制御部８２００に依頼する。
依頼を受けたルーティング制御部８２００は、指定された装置の接続状態を「切断」とする。例えば、自装置の装置名８１１１「録画装置１０００」であれば、それ以外の装置名８１１１例えば、「録画装置２０００」や「パソコン」に対応する接続状態８１１３を「切断」とする。
【０１２５】
指定された装置をネットワークからはずした情報退避部８７０１は、その旨を対応処理部８７００に通知し、通知を受けた対応処理部８７００は、切断が完了した旨をユーザインターフェース部１７００に返す。
切断が完了した旨の通知を受けたインターフェース部１７００は、通常のコンテンツのダウンロードの処理を開始する。
【０１２６】
ダウンロードが完了したことを検知したインターフェース部１７００は、その旨を、対応処理部８７００に通知し、通知を受けた対応処理部８７００は、全ての装置をネットワークに接続するようにネットワーク遮断部８７０２に指示する。
指示を受けたネットワーク遮断部８７０２は、すべての装置を指定して、ネットワークに接続する旨、ネットワーク接続部８８００を介してルーティング制御部８２００に依頼する。
【０１２７】
依頼を受けたルーティング制御部８２００は、全ての装置の接続状態を「接続」とする。
＜補足＞
以上、本発明に係る処理装置について実施形態に基づいて説明したが、この処理装置を部分的に変形することもでき、本発明は上述の実施形態に限られないことは勿論である。即ち、
（１）実施形態１では、録画装置１０００でウィルスが検出された場合の対処方法は、録画装置１０００の状態とユーザの習熟度合いとによって異なることとしているが、発見されたウィルスの種類を加味して、対処方法を決定することとしても良い。
【０１２８】
この場合は、例えば、ウィルス検出部１１００が、発見したウィルスの種類等の情報を、対応処理決定部１８００に通知し、対応処理を決定する。
（２）実施形態２では、スター型ネットワークにおける実施形態を説明したが、  バス型ネットワークなどでももちろん可能である。
スター型ネットワークでは、ルータ８０００で各装置の切断／接続の制御を行ったが、バス型ネットワークで実施する場合は、例えば、対応処理部８７００が切断したい装置それぞれに、切断する旨の命令を送信し、各装置のネットワーク接続部８８００が各自切断する。この場合は、切断された各装置の再接続は、各装置において行う必要がある。
（３）実施形態で示した処理装置の各機能を実現させる為の各制御処理（図１等参照）をＣＰＵに実行させる為のプログラムを、記録媒体に記録し又は各種通信路等を介して、流通させ頒布することもできる。このような記録媒体には、ＩＣカード、光ディスク、フレキシブルディスク、ＲＯＭ、フラッシュメモリ等がある。流通、頒布されたプログラムは、機器におけるＣＰＵで読み取り可能なメモリ等に格納されることにより利用に供され、そのＣＰＵがそのプログラムを実行することにより実施形態で示した処理装置の各機能が実現される。
（４）尚、録画装置１０００における対応処理決定部１８００、対応処理部１９００の各機能ブロックは典型的には集積回路であるＬＳＩとして実現されていてもよい。これらは個別に１チップ化されても良いし、一部又は全てを含むように１チップ化されても良い。
【０１２９】
ここでは、ＬＳＩとしたが、集積度の違いにより、ＩＣ、システムＬＳＩ、スーパーＬＳＩ、ウルトラＬＳＩと呼称されることもある。
また、集積回路化の手法はＬＳＩに限るものではなく、専用回路又は汎用プロセサで実現してもよい。ＬＳＩ製造後に、プログラムすることが可能なＦＰＧＡ（FieldProgrammable Gate Array）や、ＬＳＩ内部の回路セルの接続や設定を再構成可能なリコンフィギュラブル・プロセッサー を利用しても良い。
【０１３０】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【産業上の利用可能性】
【０１３１】
ウィルス感染の可能性のある装置において、さまざまなユーザに対応して、ウィルス感染に対する処置を行わせる場合に、特に有用である。
【図面の簡単な説明】
【０１３２】
【図１】本発明にかかる処理装置を用いて処理を行っている例を表す図である。
【図２】録画装置１０００および録画装置２０００の構成を示す機能ブロック図である。
【図３】対応処理部１９００の構成を示す機能ブロック図である。
【図４】対応処理情報１６１０の構成および内容例を示す図である。
【図５】メッセージ情報１６２０の構成および内容例を示す図である。
【図６】ユーザレベル情報１６３０の構成および内容例を示す図である。
【図７】ユーザ在宅情報１６４０の構成および内容例を示す図である。
【図８】録画予約情報１４１０の構成および内容例を示す図である。
【図９】録画装置１０００のウィルス対応処理を表すフローチャートである。
【図１０】録画予約ありの処理を表すフローチャートである。
【図１１】「ナビ０１」の処理を表すフローチャートであり、フローチャートの右側は、メッセージ等を表示する画面である。
【図１２】「ナビ０２」の処理を表すフローチャートであり、フローチャートの右側は、メッセージ等を表示する画面である。
【図１３】「ナビ０３」の処理を表すフローチャートであり、フローチャートの右側は、メッセージ等を表示する画面である。
【図１４】録画中の処理を表すフローチャートである。
【図１５】ＢＤ再生中の処理を表すフローチャートである。
【図１６】本発明にかかる処理装置を用いて実施形態２の処理を行っている例を表す図である。
【図１７】実施形態２の録画装置等の構成を示す機能ブロック図である。
【図１８】実施形態２の対応処理部８７００の構成を示す機能ブロック図である。
【図１９】接続状態管理テーブル８１１０の構成および内容例を示す図である。
【符号の説明】
【０１３３】
１０    ＢＤ−ＲＯＭ
１１    メモリカード
１２    ＳＤカード
２０    リモコン
３０    デジタルテレビ
４０  ８０００    ルータ
５０    インターネット
６０    ホームネットワーク
１０００  ２０００    録画装置
１１００    ウィルス検出部
１２００    録画装置状態監視部
１３００    ユーザ管理部
１４００  ２４００    録画予約記憶部
１４１０    録画予約情報
１５００  ２５００    番組記憶部
１６００    ユーザ情報記憶部
１６１０    対応処理情報
１６２０    メッセージ情報
１６３０    ユーザレベル情報
１６４０    ユーザ在宅情報
１６５０    対処情報記憶部
１７００    ユーザインターフェース部
１９００  ８７００    対応処理部
１９１０    ナビ表示部
１９３１    メッセージ出力部
１９３２    メール送信部
１９３３    録画代行依頼部
１９３４    録画装置初期化部
１９３５    電源遮断部
１９３６  ８７０２    ネットワーク遮断部
１９３７    ＨＤＤ遮断部
１９３８    ディスクeject部
１９３９    パスワード設定部
３０００    パソコン
４０００    携帯電話機
５０００  ５２００  ５３００    メッセージ画面
５１００    パスワード入力画面
５１１０    パスワード入力欄
８１１０    接続状態管理テーブル
８７０１    情報退避部
【図１】
0004787237.tif 000002
【図２】
0004787237.tif 000003
【図３】
0004787237.tif 000004
【図４】
0004787237.tif 000005
【図５】
0004787237.tif 000006
【図６】
0004787237.tif 000007
【図７】
0004787237.tif 000008
【図８】
0004787237.tif 000009
【図９】
0004787237.tif 000010
【図１０】
0004787237.tif 000011
【図１１】
0004787237.tif 000012
【図１２】
0004787237.tif 000013
【図１３】
0004787237.tif 000014
【図１４】
0004787237.tif 000015
【図１５】
0004787237.tif 000016
【図１６】
0004787237.tif 000017
【図１７】
0004787237.tif 000018
【図１８】
0004787237.tif 000019
【図１９】
0004787237.tif 000020